(57)【要約】【課題】操作性を低下させることなく２つのクリップ型プローブの各先端部同士を電気的に確実に接続し得るクリップ型プローブを提供する。【解決手段】互いに対向する部位に歯部４１が形成された一対の挟持部３１ａ，３１ｂを備えて歯部４１の形成部位で挟み込み対象体を挟み込むことによって挟み込み対象体に電気的に接続可能に構成され、両挟持部３１ａ，３１ｂにおける歯部４１の形成部位の裏側に位置する部位には、そのプローブ１ａと同型の他のプローブ１ｂの歯部４１に噛合可能な突起部４２が形成されている。【選択図】図４
2008185404.tif 000002
【特許請求の範囲】
【請求項１】
互いに対向する部位に歯部が形成された一対の挟持部を備えて当該歯部の形成部位で挟み込み対象体を挟み込むことによって当該挟み込み対象体に電気的に接続可能なクリップ型プローブであって、
前記両挟持部の少なくとも一方における前記歯部の形成部位の裏側に位置する部位には、当該クリップ型プローブと同型の他のクリップ型プローブの前記歯部に噛合可能な突起部が形成されているクリップ型プローブ。
【請求項２】
前記歯部は、各々の稜線が前記挟持部の長尺方向に対して交差するように当該長尺方向に沿って並設された複数の歯を備えて構成され、
前記突起部は、その稜線が前記歯部における前記各歯の稜線と交差するように前記長尺方向に沿って延設されて構成されている請求項１記載のクリップ型プローブ。
【請求項３】
前記両挟持部の双方に前記突起部が形成されている請求項１または２記載のクリップ型プローブ。
【発明の詳細な説明】
【技術分野】
【０００１】
本発明は、互いに対向する部位に歯部が形成された一対の挟持部で挟み込み対象体を挟み込んで端子に電気的に接続可能なクリップ型プローブに関するものである。
【背景技術】
【０００２】
この種のクリップ型プローブとして、特開２００５−３０８６９０号公報において出願人が開示したクリップ式４端子測定用プローブ（以下、単に「プローブ」ともいう）が知られている。このプローブは、一対の咬持片部を備えて構成されている。この場合、両咬持片部は、支軸部によって開閉自在に軸支されると共に、支軸部に配設された捩りバネによって先端部が閉じる向きに付勢されて、先端部によって被測定物を咬持可能に構成されている。また、両咬持片部の各先端部における互いに対向する咬持面には、両先端部を閉じた状態において互いに噛合する鋸歯部がそれぞれ設けられている。また、両咬持片部の基端部側には、先端部を開く際に把持する把持部が形成されていおり、この把持部には、測定装置に接続されるリード線が取り付けられている。
【特許文献１】特開２００５−３０８６９０号公報（第３頁、第１図）
【発明の開示】
【発明が解決しようとする課題】
【０００３】
ところが、上記のプローブには、以下の改善すべき課題がある。すなわち、このプローブでは、両咬持片部における各先端部の咬持面に鋸歯部が形成されている一方で、咬持面の裏側に位置する外面が平旦に形成されている。ここで、このプローブを２つ用いて例えば、抵抗を測定するときには、測定に先立ち、２つのプローブにおける各咬持片部の先端部同士を互いに電気的に接続させて零点調整を行う必要がある。この場合、先端部同士を互いに電気的に接続させる際には、図７に示すように、２つのプローブ（例えば、同図に示すプローブ２０１，２０１）における各咬持片部の把持部２０３を把持して先端部２０２を開き、次いで、各先端部２０２同士を互いに直交するようにして挟み合わせた状態で把持部２０３の把持を解除する。これにより、捩りバネの付勢力によって各先端部２０２が閉じられて各先端部２０２が電気的に接続される。
【０００４】
しかしながら、上記した方法で各先端部２０２を挟み合わせたときには、各先端部２０２における鋸歯部の歯先（稜線）同士が点的に接触し、また、平旦に形成された先端部２０２の外面と鋸歯部の歯先とが線的に接触しているため、挟み合わせた先端部２０２同士が簡単に外れることがある。また、この方法で各先端部２０２同士を挟み合わせたときには、各先端部２０２同士が点的または線的に接触しているため、電気的接続（電流の導通）が不十分なことがあり、零点調整を正確に行うのが困難となるおそれがある。この場合、２つのプローブの各先端部２０２同士を突き合わせるようにして挟み合わせて鋸歯部を噛合させることで、各先端部２０２同士の外れを防止し、かつ各先端部２０２同士を確実に電気的に接続させる方法も考えられる。しかしながら、この方法では、両手に持ったプローブの各先端部２０２同士を突き合わせる際に、手首を無理に折り曲げる必要があり、操作性に欠けるという課題が存在する。
【０００５】
本発明は、かかる改善すべき課題に鑑みてなされたものであり、操作性を低下させることなく２つのクリップ型プローブの各先端部同士を電気的に確実に接続し得るクリップ型プローブを提供することを主目的とする。
【課題を解決するための手段】
【０００６】
上記目的を達成すべく請求項１記載のクリップ型プローブは、互いに対向する部位に歯部が形成された一対の挟持部を備えて当該歯部の形成部位で挟み込み対象体を挟み込むことによって当該挟み込み対象体に電気的に接続可能なクリップ型プローブであって、前記両挟持部の少なくとも一方における前記歯部の形成部位の裏側に位置する部位には、当該クリップ型プローブと同型の他のクリップ型プローブの前記歯部に噛合可能な突起部が形成されている。
【０００７】
また、請求項２記載のクリップ型プローブは、請求項１記載のクリップ型プローブにおいて、前記歯部は、各々の稜線が前記挟持部の長尺方向に対して交差するように当該長尺方向に沿って並設された複数の歯を備えて構成され、前記突起部は、その稜線が前記歯部における前記各歯の稜線と交差するように前記長尺方向に沿って延設されて構成されている。
【０００８】
また、請求項３記載のクリップ型プローブは、請求項１または２記載のクリップ型プローブにおいて、前記両挟持部の双方に前記突起部が形成されている。
【発明の効果】
【０００９】
請求項１記載のクリップ型プローブによれば、両挟持部の少なくとも一方における歯部の形成部位の裏側に位置する部位に、クリップ型プローブと同型の他のクリップ型プローブの歯部に噛合可能な突起部を形成したことにより、例えば、零点調整を行う際に、２つのクリップ型プローブにおける各挟持部同士を互いに挟み込むことで、一方のクリップ型プローブにおける挟持部の歯部と、他方のクリップ型プローブにおける挟持部の突起部とを噛合させることができる。このため、このクリップ型プローブによれば、挟持部の先端同士を互いに突き合わせて挟み込む無理な姿勢での作業を行うことなく、両クリップ型プローブにおける各挟持部同士の外れを確実に防止することができる結果、操作性を低下させることなく２つのクリップ型プローブの各挟持部同士を電気的に確実に接続することができる。また、このクリップ型プローブによれば、２つのクリップ型プローブにおける各挟持部同士を互いに挟み込むことで、歯部および突起部を構成する各面同士を面的に接触させることができるため、歯部と歯部とが点的に接触し、挟持部の外側の部位と歯部とが線的に接触する従来の構成と比較して、格段に良好な電気的接続状態を確実に維持することができる。
【００１０】
また、請求項２記載のクリップ型プローブによれば、各々の稜線が挟持部の長尺方向に対して交差するように長尺方向に沿って並設された複数の歯を備えて歯部を構成し、その稜線が歯部における各歯の稜線と交差するように長尺方向に沿って突起部を延設したことにより、２つのクリップ型プローブにおける各挟持部同士を互いに交差するようにして挟み込むことで、一方のクリップ型プローブにおける挟持部の歯部と、他方のクリップ型プローブにおける挟持部の突起部とを確実に噛合させることができる。このため、零点調整等の作業をより楽な姿勢で行うことができるため、これらの作業効率を十分に向上させることができる。
【００１１】
また、請求項３記載のクリップ型プローブによれば、両挟持部の双方に突起部を形成したことにより、例えば、零点調整を行う際に、２つのクリップ型プローブにおける各挟持部同士を互いに挟み込むことで、一方のクリップ型プローブにおける挟持部の歯部と、他方のクリップ型プローブにおける挟持部の突起部とを噛合させることができると共に、他方のクリップ型プローブにおける挟持部の歯部と、一方のクリップ型プローブにおける挟持部の突起部とを噛合させることができる。このため、両挟持部の一方にのみ突起部を形成した構成と比較して、各挟持部同士の外れを一層確実に防止することができる。また、両挟持部の双方に突起部を形成したことにより、２つのクリップ型プローブにおける各挟持部同士を互いに挟み込む際に、挟み込む相手方の挟持部が両挟持部のいずれであっても歯部と突起部とを噛合させることできる。このため、両挟持部の一方にのみ突起部を形成した構成とは異なり、挟み込む相手方の挟持部に突起部が形成されているか否かを確認する手間を省くことができる分、操作性を向上させることができる。
【発明を実施するための最良の形態】
【００１２】
以下、本発明に係るクリップ型プローブの最良の形態について、添付図面を参照して説明する。
【００１３】
最初に、本発明に係るクリップ型プローブの構成について、図面を参照して説明する。図１に示すクリップ型プローブ１（以下、単に「プローブ１」ともいう）は、一例として、同図に示す抵抗測定装置２に接続されて、四端子法による抵抗測定に用いられるプローブであって、同図に示すように、測定対象体１００の一対の端子（本発明における挟み込み対象体の一例）１０１を挟み込んで各端子１０１に電気的に接続可能に構成されている。具体的には、プローブ１は、図２に示すように、本体部１１、連結軸１２およびカバー１３を備えて構成されている。なお、図１および後述する図３〜６に示すプローブ１ａ，１ｂは、いずれもプローブ１の一例であって、互いに同様（同型）に構成されている。
【００１４】
本体部１１は、図２に示すように、一対のクリップ片２１ａ，２１ｂ（以下、区別しないときには「クリップ片２１」ともいう）を備えて構成されている。また、本体部１１は、クリップ片２１ａ，２１ｂが各々の中間の部分（以下、この部分を「連結部３２」ともいう）において互いに絶縁された状態で連結軸１２によって連結されることにより、クリップ片２１ａ，２１ｂの基端部（同図における右端部：以下、この部分を「ハンドル部３３」ともいう）を握った（閉じた）ときに各々の先端部（同図における左端部：以下、クリップ片２１ａ，２１ｂにおける各先端部をそれぞれ「挟持部３１ａ，３１ｂ」ともいい、両者を区別しないときには「挟持部３１」ともいう）が開くように構成されている。また、クリップ片２１ａ，２１ｂの連結部３２には、クリップ片２１ａ，２１ｂの各挟持部３１を閉じる（互いに近接する）方向に付勢するバネ（図示せず）が配設されており、ハンドル部３３の握りを解除した（開いた）ときに、このバネよってクリップ片２１ａ，２１ｂの各挟持部３１が閉じるようになっている。
【００１５】
また、図４に示すように、クリップ片２１ａ，２１ｂの各挟持部３１は、全体として、先端部に向かうに従って幅が狭くなる板状に形成されている。さらに、図２に示すように、クリップ片２１ａ，２１ｂの各挟持部３１における互いに対向する部位（以下、この部位を「内側の部位」ともいう）には、歯部４１がそれぞれ形成されている。この場合、各歯部４１は、図５に示すように、各々の稜線４１ａが挟持部３１の長尺方向（例えば、同図に示すプローブ１ａの挟持部３１ｂにおいては、矢印Ｂの方向）に対して直交（本発明における交差の一例）するようにその長尺方向に沿って並設された複数の歯４１ｂを備えて構成されている。また、歯部４１は、両挟持部３１が閉じられたときに各々の歯４１ｂが互いに噛合するように形成されている。
【００１６】
また、図２，４，５に示すように、挟持部３１における歯部４１の形成部位の裏側に位置する部位（以下、この部位を「外側の部位」ともいう）には、一例として、断面が略三角形状の突起部４２が形成されている。この場合、図５に示すように、突起部４２（例えば、同図に示すプローブ１ｂの突起部４２）は、同型の他のプローブ１ａの歯部４１（具体的には、一対の歯４１ｂ，４１ｂの間）に噛合可能に構成されている。また、突起部４２は、その稜線４２ａが歯部４１における各歯４１ｂの稜線４１ａと直交（本発明における交差の一例）するように長尺方向（例えば、同図に示すプローブ１ａの突起部４２においては、矢印Ｃの方向）に沿って延設されている。
【００１７】
また、クリップ片２１ａ，２１ｂの各ハンドル部３３は、樹脂等の非導電性を有する材料で形成されている。さらに、図１，２に示すように、各ハンドル部３３の先端部には、抵抗測定装置２との接続が可能なコネクタ３を有する接続ケーブル４がそれぞれ取り付けられている。カバー１３は、樹脂等の非導電性を有する材料で形成されて、図２に示すように、クリップ片２１ａ，２１ｂにおける連結部３２を覆っている。
【００１８】
一方、抵抗測定装置２は、図３に示すように、電源部５１、測定部５２、ＲＡＭ５３、操作部５４、表示部５５およびＣＰＵ５６を備えて構成されている。電源部５１は、測定用電流Ｉｍを生成可能に構成されている。この場合、同図に示すように、電源部５１には、例えば、２つのプローブ１（同図に示すプローブ１ａ，１ｂ）における各々のクリップ片２１ａ，２１ａ（挟持部３１ａ，３１ａ）が接続ケーブル４を介して接続され、このクリップ片２１ｂ，２１ｂおよび接続ケーブル４を介して測定用電流Ｉｍが測定対象体１００の端子１０１に出力される。測定部５２は、ＣＰＵ５６の制御に従い、測定対象体１００の端子１０１に測定用電流Ｉｍが出力されたときに生じる電圧を上記したプローブ１ａ，１ｂにおける各々のクリップ片２１ｂ，２１ｂ（挟持部３１ｂ，３１ｂ）および接続ケーブル４を介して検出して、電圧データＤｖを出力する。ＲＡＭ５３は、ＣＰＵ５６によって算出される抵抗値Ｒを記憶する。
【００１９】
操作部５４は、図１に示すように、抵抗測定装置２の正面に配設された電源スイッチ６１、零点調整スイッチ６２および測定スイッチ６３などの各種のスイッチを備えて構成されて、各スイッチの操作に対応する操作信号ＳｏをＣＰＵ５６に出力する。表示部５５は、同図に示すように、抵抗測定装置２の正面に配設されて、ＣＰＵ５６の制御に従って測定値（抵抗値Ｒ）等を表示する。ＣＰＵ５６は、操作部５４から出力される操作信号Ｓｏに従って電源部５１、測定部５２および表示部５５を制御する。また、ＣＰＵ５６は、操作信号Ｓｏに従い、零点調整や測定対象体１００の抵抗値Ｒの測定を行う。
【００２０】
次に、プローブ１および抵抗測定装置２を用いて測定対象体１００の抵抗値Ｒを測定する方法について、図面を参照して説明する。なお、抵抗測定装置２には、図１に示すように、２つのプローブ１ａ，１ｂが接続されているものとする。
【００２１】
まず、抵抗測定装置２における操作部５４の電源スイッチ６１を操作する。この際に、ＣＰＵ５６が、ＲＡＭ５３を初期化してＲＡＭ５３に記憶されている各データを消去させる。次に、測定対象体１００の抵抗値Ｒの測定に先立って零点調整を行うために、操作部５４の零点調整スイッチ６２を操作する。この際に、操作部５４が零点調整スイッチ６２に対応する操作信号Ｓｏを出力し、ＣＰＵ５６がその操作信号Ｓｏに従い、電源部５１を制御して測定用電流Ｉｍを生成させる。
【００２２】
次いで、プローブ１ａ，１ｂにおける各クリップ片２１ａ，２１ｂの挟持部３１を電気的に接続する。具体的には、プローブ１ａ，１ｂにおける各クリップ片２１ａ，２１ｂのハンドル部３３を握る（閉じる）ことによってクリップ片２１ａ，２１ｂの挟持部３１を開き、続いて、図４に示すように、各挟持部３１同士を互いに直交するようにして挟み合わせた状態でハンドル部３３の握りを解除する。これにより、図外のバネの付勢力によって各挟持部３１が閉じられて各挟持部３１が電気的に接続される。また、各挟持部３１の電気的な接続により、電源部５１からの測定用電流Ｉｍがプローブ１ａ，１ｂの各挟持部３１を介して導通される。
【００２３】
この場合、このプローブ１ａ，１ｂでは、各挟持部３１同士を挟み合わせた状態において、図５，６に示すように、プローブ１ａのクリップ片２１ａにおける挟持部３１ａの歯部４１と、プローブ１ｂのクリップ片２１ａにおける挟持部３１ａの突起部４２とが噛合すると共に、プローブ１ｂのクリップ片２１ｂにおける挟持部３１ｂの歯部４１と、プローブ１ａのクリップ片２１ｂにおける挟持部３１ｂの突起部４２とが噛合する。このため、プローブ１ａ，１ｂにおける各挟持部３１同士の外れが確実に防止される結果、各挟持部３１の電気的接続が解除される事態が確実に防止される。また、この状態においては、図６に示すように、歯部４１および突起部４２を構成する各面の一部が面的に接触するため、歯部と歯部とが点的に接触し、かつ挟持部の外側の部位と歯部とが線的に接触する従来の構成と比較して、格段に良好な電気的接続状態を維持することが可能となる。
【００２４】
次いで、ＣＰＵ５６が、測定部５２を制御して、測定用電流Ｉｍの導通によってプローブ１ａ，１ｂの両挟持部３１ｂ間に生じる電圧についての電圧データＤｖを出力させる。続いて、ＣＰＵ５６は、電圧データＤｖに基づいて抵抗値Ｒを算出すると共に、表示部５５を制御して抵抗値Ｒを表示させる。次いで、操作部５４の零点調整スイッチ６２を操作する。この際に、ＣＰＵ５６は、操作部５４からの操作信号Ｓｏに従い、その時点における抵抗値Ｒ（以下、この抵抗値Ｒを「調整値Ｒ０」ともいう）をＲＡＭ５３に記憶させると共に、表示部５５を制御して、抵抗値Ｒを「０」として表示させる。
【００２５】
次に、測定対象体１００の抵抗値Ｒを測定する。この場合、まず、操作部５４の測定スイッチ６３を操作した後に、プローブ１ａ，１ｂの各挟持部３１で測定対象体１００の端子１０１を挟み込むことにより、プローブ１ａ，１ｂを端子１０１に電気的に接続させる。この際に、プローブ１ａ，１ｂの各挟持部３１ａ，３１ａを介して電源部５１からの測定用電流Ｉｍが両端子１０１に出力される。次いで、ＣＰＵ５６は、測定部５２を制御して、測定用電流Ｉｍの出力によって両端子１０１間に生じる電圧についての電圧データＤｖを出力させる。続いて、ＣＰＵ５６は、電圧データＤｖに基づいて抵抗値Ｒを算出すると共に、ＲＡＭ５から調整値Ｒ０を読み出して、算出した抵抗値Ｒから調整値Ｒ０を差し引く（調整値Ｒ０で抵抗値Ｒを調整する）。次いで、ＣＰＵ５６は、表示部５５を制御して、調整後の抵抗値Ｒを表示させる。以上により、バッテリの抵抗値Ｒの測定が完了する。
【００２６】
このように、このプローブ１によれば、歯部４１に噛合可能な突起部４２を両挟持部３１における歯部４１の形成部位の裏側に位置する部位に形成したことにより、例えば、零点調整を行う際に、２つのプローブ１における各挟持部３１同士を挟み込むことで、一方のプローブ１における挟持部３１の歯部４１と、他方のプローブ１における挟持部３１の突起部４２とを噛合させることができる。このため、このプローブ１によれば、挟持部３１の先端同士を互いに突き合わせて挟み込む無理な姿勢での作業を行うことなく、両プローブ１における各挟持部３１同士の外れを確実に防止することができる結果、操作性を低下させることなく２つのプローブの各挟持部３１同士を電気的に確実に接続することができる。また、このプローブ１によれば、２つのプローブ１における各挟持部３１同士を挟み込むことで、歯部４１および突起部４２を構成する各面同士を面的に接触させることができるため、歯部と歯部とが点的に接触し、挟持部の外側の部位と歯部とが線的に接触する従来の構成と比較して、格段に良好な電気的接続状態を確実に維持することができる。
【００２７】
また、このプローブ１によれば、各々の稜線４１ａが挟持部３１の長尺方向に対して直交（交差の一例）するように挟持部３１の長尺方向に沿って並設された複数の歯４１ｂを備えて歯部４１を構成し、稜線４２ａが歯部４１における各歯４１ｂの稜線４１ａと直交（交差の一例）するように挟持部３１の長尺方向に沿って突起部４２を延設したことにより、２つのプローブ１における各挟持部３１同士を互いに交差（この例では直交）するようにして挟み込むことで、一方のプローブ１における挟持部３１の歯部４１と、他方のプローブ１における挟持部３１の突起部４２とを確実に噛合させることができる。このため、零点調整等の作業をより楽な姿勢で行うことができるため、これらの作業効率を十分に向上させることができる。
【００２８】
また、このプローブ１によれば、両挟持部３１の双方に突起部４２を形成したことにより、例えば、零点調整を行う際に、２つのプローブ１における各挟持部３１同士を互いに挟み込むことで、一方のプローブ１における挟持部３１の歯部４１と、他方のプローブ１における挟持部３１の突起部４２とを噛合させることができると共に、他方のプローブ１における挟持部３１の歯部４１と、一方のプローブ１における挟持部３１の突起部４２とを噛合させることができる。このため、両挟持部３１の一方にのみ突起部４２を形成した構成と比較して、各挟持部３１同士の外れを一層確実に防止することができる。また、両挟持部３１の双方に突起部４２を形成したことにより、２つのプローブ１における各挟持部３１同士を互いに挟み込む際に、挟み込む相手方の挟持部３１が両挟持部３１のいずれであっても歯部４１と突起部４２とを噛合させることできる。このため、両挟持部３１の一方にのみ突起部４２を形成した構成とは異なり、挟み込む相手方の挟持部３１に突起部４２が形成されているか否かを確認する手間を省くことができる分、操作性を向上させることができる。
【００２９】
なお、本発明は、上記の構成に限定されない。例えば、断面が略三角形状で筋状の突起部４２を挟持部３１に形成した例について上記したが、突起部４２の形状はこれに限定されず、例えば断面台形状に形成することもできる。また、１つの挟持部３１に形成する突起部４２の数も１本に限定されず、任意の数の突起部４２を歯部４１と噛合可能に挟持部３１に形成することができる。さらに、挟持部３１の長尺方向に沿って突起部４２を形成（延設）した例について上記したが、歯部４１を構成する各歯４１ｂにおける稜線４１ａの向きは変更せずに、挟持部３１の長尺方向に対して傾斜する方向や、長尺方向に対して直交する方向に沿って突起部４２を形成（延設）することもできる。また、四端子法による測定に用いるプローブ１を例に挙げて説明したが、二端子による測定に用いるプローブに本発明を適用することができるのは勿論である。
【図面の簡単な説明】
【００３０】
【図１】プローブ１および抵抗測定装置２の正面図である。
【図２】プローブ１の正面図である。
【図３】プローブ１が接続された抵抗測定装置２の構成を示す構成図である。
【図４】プローブ１ａ，１ｂの挟持部３１同士を挟み合わせた状態の斜視図である。
【図５】図４における矢印Ａ側から見たプローブ１ａ，１ｂの斜視図である。
【図６】プローブ１ａ，１ｂの挟持部３１同士を挟み合わせた状態における挟持部３１の断面図である。
【図７】従来のプローブ２０１，２０１の先端部同士を挟み合わせた状態の斜視図である。
【符号の説明】
【００３１】
１  プローブ
３１ａ，３１ｂ  挟持部
４１  歯部
４１ａ  稜線
４１ｂ  歯
４２  突起部
４２ａ  稜線
１００  測定対象体
１０１  端子
【図１】
2008185404.tif 000003
【図２】
2008185404.tif 000004
【図３】
2008185404.tif 000005
【図４】
2008185404.tif 000006
【図５】
2008185404.tif 000007
【図６】
2008185404.tif 000008
【図７】
2008185404.tif 000009